(57)【要約】【課題】保護シートが、容器本体と中皿の間に挟み込まれただけの状態で取り付けられており、使用時には、保護シートを大きく開いた姿勢を安定して保持することのできる保護シート付コンパクト容器を提供する。【解決手段】中皿６と、中皿収容用凹部３を有する容器本体１と、保護面部１０ａと延設部１０ｂとを有する保護シート１０とを備え、上記中皿収容用凹部３の内壁面が切り欠かれ、その切欠き端面２０の上端縁に凸条２２が設けられて、上記切欠き端面２０および凸条２２と、中皿６の側壁外周面６ａとの間に、隙間２１、２３が形成されており、上記保護シート１０の延設部１０ｂと折り返し部１０ｃとが、上記隙間２１、２３に差し込まれて係止され、上記保護シート１０の保護面部１０ａが、回動自在に取り付けられている。【選択図】図３
2017086568.tif 000002
【特許請求の範囲】
【請求項１】
化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、
上記容器本体の凹部における内壁面の片側と、上記中皿の側壁外周面との間に、上部では隙間幅が狭く下部では隙間幅がそれより広く設定された、段差のある隙間が形成されており、
上記保護シートは、一枚の可撓性シートからなり、上記中皿の少なくとも上面を被覆する保護面部と、上記保護面部の一端縁から折り目を介して延設される延設部と、上記延設部の先端縁からさらに折り目を介して折り返される折り返し部とを備えており、
上記凹部内壁面と中皿の側壁外周面との隙間に、上記保護シートの延設部が差し込まれ、その折り返し部が凹部内壁面に当接した状態で隙間内の段差によって係止され、上記保護シートの保護面部が、上記延設部の上端部である折り目を回転軸として、回動自在に取り付けられていることを特徴とする保護シート付コンパクト容器。
【請求項２】
上記容器本体の凹部における内壁面の片側が、上記中皿の側壁外周面に対し所定幅の隙間を形成するよう切り欠かれているとともに、その切欠き端面の上縁部に凸条が設けられ、その凸条によって、凹部内壁面と中皿の側壁外周面との隙間幅が狭められて、段差のある隙間が形成されており、上記凹部内壁面の凸条と、上記中皿の側壁外周面との隙間に、上記保護シートの延設部が差し込まれ、その折り返し部が凹部内壁面に当接した状態で凸条によって係止されるようになっている請求項１記載の保護シート付コンパクト容器。
【請求項３】
上記中皿の側壁外周面の片側が、上記容器本体の凹部内壁面に対し所定幅の隙間を形成するよう切り欠かかれているとともに、上記凹部内壁面の、上記中皿の切欠き端面に対峙する側の上縁部に凸条が設けられ、その凸条によって、上記中皿の切欠き端面と凹部内壁面との隙間幅が狭められて、段差のある隙間が形成されており、上記凹部内壁面の凸条と、上記中皿の切欠き端面との隙間に、上記保護シートの延設部が差し込まれ、その折り返し部が凹部内壁面に当接した状態で凸条によって係止されるようになっている請求項１記載の保護シート付コンパクト容器。
【請求項４】
上記保護シートにおいて、折り返し部の折り返し幅Ｈが、上記凹部底面から凸条下面までの高さを１とすると、０．６〜１に設定されている請求項１〜３のいずれか一項に記載の保護シート付コンパクト容器。
【請求項５】
上記保護シートにおいて、延設部に対する折り返し部の折り返し角度θが、１〜４５°に設定されている請求項１〜４のいずれか一項に記載の保護シート付コンパクト容器。
【発明の詳細な説明】
【技術分野】
【０００１】
本発明は、化粧料の表面を被覆する保護シートが設けられた保護シート付コンパクト容器に関するものである。
【背景技術】
【０００２】
従来、ファンデーションやアイカラー、リップカラー等のメイクアップ化粧料を収容する容器としては、化粧料が充填された浅皿状の中皿と、この中皿を収容する凹部が上面に設けられた容器本体と、この容器本体を蓋する蓋体を備えたコンパクト容器が汎用されている。
【０００３】
このようなコンパクト容器では、一般に、蓋体の内側面に鏡が貼着されているため、鏡の表面が化粧料で汚れないように、また化粧料自体に異物が混入して汚染されないように、容器本体内に収容された化粧料の表面には、透明プラスチック製の保護シートが載せられている。しかし、上記保護シートを載せておくだけでは、化粧をする際に、保護シートを容器本体の上面から取り外して机の上等に置かなければならず、化粧後に保護シートを戻し忘れたり、蓋体の開閉時に保護シートが脱落して紛失しやすいという問題がある。また、紛失しなくても、保護シートが容器内でずれて、鏡の表面や周囲が化粧料で汚れてしまうおそれもある。
【０００４】
そこで、最近は、例えば図７に示すように、保護シート５０の一端側を側面視コ字状に折り返し、その折り返し部５０ａを容器本体６０側に折り込んだものが多く出回っている（特許文献１を参照）。なお、図において、５１は蓋体、５２は鏡、５３は中皿６３を収容するための凹部、５４は化粧チップ等の塗布具を収容するための凹部である。また、図８に示すように、保護シート５０と敷き込み部６１とを２つの折り曲げ部６２で連結し、上記敷き込み部６１を完全に中皿６３の底に敷き込んだものも提案されている（特許文献２を参照）。なお、６４はパフを収容するための凹部である。
【０００５】
さらに、図９（ａ）およびその拡大部分断面を示す図９（ｂ）に示すように、容器本体６０の片側に、保護シート５０を取り付けるためのスリット７０を設け、このスリット７０内に、保護シート５０から延びる係合片７１を挿入し、その先端の折り返し部７２をスリット７０内の段差面に係合させて、保護シート５０を固定するようにしたものも提案されている（特許文献３を参照）。なお、図において、８０は、中皿６３側の係合用凹部８１と係合するために容器本体６０側に設けられた中皿係合用凸部、８２は、化粧用のスポンジである。他の構成は、図８に示すコンパクト容器と同様であり、同一部分に同一符号を付して、その説明を省略する。
【先行技術文献】
【特許文献】
【０００６】
【特許文献１】特開２００５−２３０４５２号公報
【特許文献２】特許第４２１６６１９号公報
【特許文献３】特開２０１４−１２４４５６号公報
【発明の概要】
【発明が解決しようとする課題】
【０００７】
しかしながら、上記特許文献１、２に記載されたコンパクト容器を得るには、中皿６３より先に、保護シート５０の折り返し部５０ａや敷き込み部６１を容器本体６０の凹部５３内に配置し、保護シート５０の、上方に延びる部分（化粧料充填面を被覆するための部分）を側方に大きく開いた状態で中皿６３を収容しなければならず、その作業に手間を要するという問題がある。すなわち、容器本体６０の凹部５３内に配置された保護シート５０の折り返し部５０ａや敷き込み部６１がずれないように、中皿６３の底面でこれらを押さえながら嵌め込む動作と、保護シート５０の上方に延びる部分が元に戻って容器本体６０の凹部５３を塞がないよう持ち上げておく動作とを同時に行う必要があるからである。
【０００８】
また、保護シート５０を容器本体６０の凹部５３内に粘着剤で固定することも行われているが、その場合も作業効率が悪く、保護シート５０の配置ずれが生じることもあり、改善策が求められている。そして、中皿６３を粘着剤で固定するタイプのコンパクト容器では、上記保護シート５０の折り返し部５０ａや敷き込み部６１があると、粘着剤の塗布位置を工夫しなければならないという問題もある。
【０００９】
一方、上記特許文献３に記載されたコンパクト容器では、凹部５３の側壁の、中皿６３との係合用凸部８０を設けた部分の近傍に、内部に段差面を有するスリット７０を形成しなければならないため、金型が複雑になって製造コストが高くなるという問題がある。
【００１０】
そこで、前記特許文献１、２のように、容器本体の凹部と中皿との間に保護シートを挟み込んだり、上記特許文献３のように容器本体に複雑な形状のスリットを設けたりする必要がなく、中皿を収容した後に、保護シートを容器本体と中皿の間に挟み込むようにして簡単に固定できるような構造の化粧料容器が強く望まれているが、そのようなものは、未だ実現されていない。
【００１１】
本発明は、このような事情に鑑みなされたもので、保護シートが、中皿の底まで入り込んでおらず、容器本体と中皿の間に挟み込むだけで簡単に得ることができ、しかも、使用時には、保護シートを大きく開いた姿勢を安定して保持することのできる、優れた保護シート付コンパクト容器の提供をその目的とする。
【課題を解決するための手段】
【００１２】
上記の目的を達成するため、本発明は、化粧料が充填された浅皿状の中皿と、この中皿を収容する凹部が上面に設けられた容器本体と、この容器本体を蓋する蓋体と、上記容器本体の凹部内に収容された中皿の少なくとも上面を被覆する保護シートとを備えたコンパクト容器であって、上記容器本体の凹部における内壁面の片側と、上記中皿の側壁外周面との間に、上部では隙間幅が狭く下部では隙間幅がそれより広く設定された、段差のある隙間が形成されており、上記保護シートは、一枚の可撓性シートからなり、上記中皿の少なくとも上面を被覆する保護面部と、上記保護面部の一端縁から折り目を介して延設される延設部と、上記延設部の先端縁からさらに折り目を介して折り返される折り返し部とを備えており、上記凹部内壁面と中皿の側壁外周面との隙間に、上記保護シートの延設部が差し込まれ、その折り返し部が凹部内壁面に当接した状態で隙間内の段差によって係止され、上記保護シートの保護面部が、上記延設部の上端部である折り目を回転軸として、回動自在に取り付けられている保護シート付コンパクト容器を第１の要旨とする。
【００１３】
また、本発明は、そのなかでも、特に、上記容器本体の凹部における内壁面の片側が、上記中皿の側壁外周面に対し所定幅の隙間を形成するよう切り欠かれているとともに、その切欠き端面の上縁部に凸条が設けられ、その凸条によって、凹部内壁面と中皿の側壁外周面との隙間幅が狭められて、段差のある隙間が形成されており、上記凹部内壁面の凸条と、上記中皿の側壁外周面との隙間に、上記保護シートの延設部が差し込まれ、その折り返し部が凹部内壁面に当接した状態で凸条によって係止されるようになっている保護シート付コンパクト容器を第２の要旨とし、上記中皿の側壁外周面の片側が、上記容器本体の凹部内壁面に対し所定幅の隙間を形成するよう切り欠かれているとともに、上記凹部内壁面の、上記中皿の切欠き端面に対峙する側の上縁部に凸条が設けられ、その凸条によって、上記中皿の切欠き端面と凹部内壁面との隙間幅が狭められて、段差のある隙間が形成されており、上記凹部内壁面の凸条と、上記中皿の切欠き端面との隙間に、上記保護シートの延設部が差し込まれ、その折り返し部が凹部内壁面に当接した状態で凸条によって係止されるようになっている保護シート付コンパクト容器を第３の要旨とする。
【００１４】
そして、本発明は、それらのなかでも、特に、上記保護シートにおいて、折り返し部の折り返し幅Ｈが、上記凹部底面から凸条下面までの高さを１とすると、０．６〜１に設定されている保護シート付コンパクト容器を第４の要旨とし、上記保護シートにおいて、延設部に対する折り返し部の折り返し角度θが、１〜４５°に設定されている保護シート付コンパクト容器を第５の要旨とする。
【発明の効果】
【００１５】
すなわち、本発明の保護シート付コンパクト容器には、容器本体の凹部内壁面の片側と、この中に収容される中皿の側壁外周面との間に、保護シートの延設部を差し込むための隙間が設けられ、上記隙間は、上部では隙間幅が狭く下部では隙間幅がそれより広く設定された、段差のある隙間になっている。
【００１６】
したがって、本発明によれば、容器本体の凹部内に中皿を収容した後、上記保護シートの延設部を下向きに折り曲げて、この部分を、その先端から折り返された折り返し部とともに、上記凹部内壁面と中皿の側壁外周面との間に差し込むだけで、延設部と折り返し部とを、上記凹部内壁面と中皿との隙間に入り込ませ、その下部の、隙間幅が入り口より広くなった隙間において、上記折り返し部を凹部内壁面に当接させることができるのであり、簡単に、保護シートを取り付けることができる。
【００１７】
そして、取り付けられた保護シートは、その折り返し部が、それ自身の弾性によって、一旦閉じた状態から側方に開こうとするため、その先端が凹部内壁面に押圧気味に当接する。この状態で保護シートを上方に引き上げようとすると、上記隙間内の段差が抜け止めとなる。したがって、保護シートの保護面部は、中皿の上面からずれたり脱落したりするようなことがなく、長期にわたって、化粧料の表面を良好に保護することができる。
【００１８】
しかも、この化粧料容器を使用する場合には、上記保護シートの保護面部を側方に大きく開くと、上記保護面部から垂直下向きに延びる延設部の長手方向両側が外側に拡がり、それに伴って折り返し部も外側、すなわち凹部内壁面側に押し付けられるため、保護面部を側方に開いた状態が安定して保持され、使い勝手がよいという利点を有する。また、保護シートに、これを上方に引き上げる力や側方に開く力をかけても、中皿には力が加わらないため、容器本体から中皿が外れて脱落するようなことがないという利点を有する。
【００１９】
そして、本発明のなかでも、特に、上記容器本体の凹部内壁面と、この中に収容される中皿の側壁外周面にいずれか一方に、保護シートの延設部を差し込むための切欠き部を設け、上記容器本体の凹部内壁面側に、上記切欠き部の上端開口を狭くする凸条を設けることによって、上記段差のある隙間を形成するようにしたものは、上記切欠き部の深さと凸条の高さによって隙間幅を微妙に調整することができ、好適である。
【００２０】
また、本発明のなかでも、特に、上記保護シートにおいて、折り返し部の折り返し幅Ｈが、上記凹部底面から凸条下面までの高さを１とすると、０．６〜１に設定されているものは、中皿と凹部の隙間に差し込みやすく、しかも折り返し部の反発弾性が充分で抜け止め効果が安定して維持されるため、好適である。
【００２１】
さらに、本発明のなかでも、特に、上記保護シートにおいて、延設部に対する折り返し部の折り返し角度θが、１〜４５°に設定されているものは、保護シートの折り返し部が、適度な反発弾性を示し、保護シートに対する抜け止め効果に優れ、しかも保護シートの保護面を開閉する動作もスムーズに行うことができ、好適である。
【図面の簡単な説明】
【００２２】
【図１】本発明の一実施の形態を示す斜視図である。
【図２】（ａ）は上記実施の形態の、蓋体を省略して一部を切り欠いて示す平面図、（ｂ）は上記実施の形態に用いられる保護シートの斜視図である。
【図３】図１のＡ−Ａ′断面を拡大して部分的に示す説明図である。
【図４】上記実施の形態の組み立て方を説明する模式的な説明図である。
【図５】本発明の他の実施の形態の、蓋体と中皿を省略して示す平面図である。
【図６】本発明のさらに他の実施の形態の、蓋体を省略して一部を切り欠いて示す平面図である。
【図７】従来の一例を示す説明図である。
【図８】従来の他の例を示す説明図である。
【図９】（ａ）は従来のさらに他の例を示す説明図、（ｂ）はその要部の部分的な拡大断面図である。
【発明を実施するための形態】
【００２３】
つぎに、本発明の実施の形態を図面にもとづいて詳しく説明する。ただし、本発明は、この実施の形態に限定されるものではない。
【００２４】
図１は本発明の保護シート付コンパクト容器の一実施の形態を示しており、図２（ａ）は、その平面図である。ただし、図２（ａ）において、その一部は断面で示されており、蓋体部分は省略されている。また、図３は、図１のＡ−Ａ′断面を拡大して部分的に示している。
【００２５】
すなわち、この保護シート付コンパクト容器は、容器本体１と、その後端部にヒンジ連結された蓋体２とを備えており、蓋体２の内側には、鏡８が貼着されている。なお、蓋体２は、その上面が一段低く凹んだ枠体２ａと、枠体２ａの上面に嵌合される装飾板２ｂとで構成されている。そして、上記容器本体１の上面のうち、奥側に設けられた中皿収容用凹部３内に、化粧料５が充填された浅皿状の中皿６（図４参照）が収容されており、手前側の化粧用具収容用凹部４内に、化粧ブラシ７が収容されている。
【００２６】
また、上記容器本体１に収容された中皿６の上面、すなわち中皿６に充填された化粧料５の表面は、化粧料５の飛散を防止するための保護シート１０によって被覆されている。
【００２７】
上記保護シート１０は、厚み０．２ｍｍの透明なポリエチレンテレフタレート（ＰＥＴ）製のシートを、図２（ｂ）に示すような形状に賦形して、その一部を容器本体１の中皿収容用凹部３と中皿６の間に差し込んで容易に脱落しないよう取り付けたものである。
【００２８】
より詳しく説明すると、上記保護シート１０は、図２（ａ）において粗い斜線Ｑで示すように、この容器本体１の中皿収容用凹部３内に収容された中皿６の上面を完全に被覆し、その手前の化粧用具収容用凹部４の開口も、その大部分を被覆する、略正方形状の保護面部１０ａを有している。そして、この保護面部１０ａの一端縁から、折り目１１を介して垂直下向きに延設される延設部１０ｂが設けられ、さらにこの延設部１０ｂの先端縁から、折り目１２を介して、延設部１０ｂに対し３０°の折り返し角度θで斜め上方向に折り返される折り返し部１０ｃが設けられている。
【００２９】
一方、容器本体１の、中皿収容用凹部３は、平面視が横長の長方形であり、上下左右四辺の内壁面で囲われているが、図２（ａ）および図３に示すように、そのうちの、向かって左側の内壁面の大部分が、浅い凹状に切り欠かれて、その切欠き端面２０と中皿６の側壁外周面６ａとの間に、隙間幅Ｘが１．２ｍｍとなる隙間２１が形成されている。そして、上記切欠き端面２０の上縁部に、水平方向に延びる凸条２２が設けられており、この凸条２２と中皿６の側壁外周面６ａとの間が、上記隙間２１より幅の狭い隙間２３になっている（隙間幅Ｙは０．８ｍｍ）。この隙間２１、２３によって、中皿収容用凹部３と、この中に収容される中皿６の外周面との間に、上下方向の途中に段差のある隙間が形成される。
【００３０】
そして、上記隙間２１、２３の間には、図３に示すように、保護シート１０の延設部１０ｂと、その先端縁の折り目１２から上向きに折り返された折り返し部１０ｃとが差し込まれており、その折り返し部１０ｃの先端は、上記切欠き端面２０の上縁部から突出する凸条２２の根元部近傍に当接している。
【００３１】
この構成によれば、図４において模式的に示すように、まず、容器本体１の中皿収容用凹部３内に粘着剤層４０を設け、その上に中皿６を収容して固定した後、保護シート１０の延設部１０ｂを下向きに折り曲げ、さらに折り返し部１０ｃを上向きに折り返した状態で、この部分を、容器本体１の中皿収容用凹部３の、内壁面を切り欠いた切欠き端面２０と中皿６の側壁外周面６ａとの間に差し込むだけで、延設部１０ｂと折り返し部１０ｃが、隙間２１、２３に入り込む。そして、隙間幅の狭い隙間２３を通るときは、折り返し部１０ｃが延設部１０ｂと殆ど重なった状態でこの部分を通過し、折り返し部１０ｃが、その下の、隙間幅が広い隙間２１に完全に入り込むと、一度延設部１０ｂ側に折り重ねられた折り返し部１０ｃが、自身の弾性によって元に戻ろうとして開き、その先端が、図３に示すように、凸条２２の根元部近傍の切欠き端面２０にパチンと当接して安定する。この状態で、保護シート１０の保護面部１０ａを上方に引き上げたり、側方に開いたりしても、上記折り返し部１０ｃの先端が凸条２２の下面に当たって係止されているため、保護シート１０が外れることがない。また、保護シート１０に、このように、これを上方に引き上げる力や側方に開く力をかけても、中皿６には力が加わらないため、容器本体１から中皿６が外れて脱落するようなことがない。
【００３２】
もちろん、場合によっては、中皿６を収容するよりも先に、容器本体１の中皿収容用凹部３内に保護シート１０を取り付け、その後、粘着剤層４０を設けて中皿６を収容するようにしてもよい。その場合も、中皿収容用凹部３の、切欠き端面２０の上縁部に設けられた凸条２２の下側に、保護シート１０の延設部１０ｂを沿わせ、保護面部１０ａを側方に大きく開いた状態にすれば、簡単に中皿６を収容することができる。
【００３３】
そして、取り付けられた保護シート１０は、中皿収容用凹部３の切欠き端面２０の上縁部に設けられた凸条２２によって抜け止めされており、ずれたり脱落したりするようなことがなく、長期にわたって、中皿６の上面、すなわち中皿６に充填された化粧料５の表面を、良好に保護することができる。
【００３４】
さらに、この化粧料容器を使用する場合には、上記保護シート１０の保護面部１０ａを側方に大きく開くと、中皿収容用凹部３の切欠き端面２０に当接する折り返し部１０ｃが、より強く切欠き端面２０側に押し付けられるため、大きく開いた保護面部１０ａが、前後方向にがたついたりすることなく、安定した状態で保持されるようになっている。
【００３５】
すなわち、図２（ｂ）に示すように、水平に延びる保護面部１０ａと、垂直下向きに折り目１１が付けられた延設部１０ｂとを備えた保護シート１０において、保護面部１０ａを上に引き上げると、垂直に折り返されていた部分の角度が鈍角に拡げられる。このため、図において矢印で示すように延設部１０ｂが外側に反り、それに伴って、折り返し部１０ｃの長手方向両側の部分（斜線Ｐで示す部分）が、中皿収容用凹部３の切欠き端面２０側に開き気味になる。このため、折り返し部１０ｃが、より強く切欠き端面２０側に押し付けられて、保護シート１０を開いた姿勢が、より安定化されるのである。
【００３６】
なお、本発明において、保護シート１０の材質としては、シート状に成形することが可能で、可撓性を有しているものであれば、どのような材質であってもよく、ＰＥＴ以外に、例えば、ポリプロピレン（ＰＰ）、ポリエチレン（ＰＥ）等が好適に用いられる。そして、その厚みは、用いる材質にもよるが、延設部１０ｂ、折り返し部１０ｃの耐久性と、その反発弾性による抜け止め作用等を考慮すれば、例えば０．１〜０．５ｍｍ、なかでも、０．１５〜０．３ｍｍに設定することが好適である。すなわち、保護シート１０の厚みが薄すぎると、延設部１０ｂ、折り返し部１０ｃの耐久性が低下するとともに抜け止め作用が充分に発揮されなくなるおそれがある。逆に、保護シート１０の厚みが厚すぎると、保護シート１０の保護面部１０ａを側方に開いて化粧料５を露出させる動作がしにくくなるとともに、打ち抜き成形や折り込み賦形時の作業性が悪くなるおそれがあり、好ましくない。
【００３７】
また、上記保護シート１０は、必ずしも透明である必要はなく、模様を付したり着色したりすることができる。そして、保護シート１０の保護面部１０ａに、ブランド名の表示や中皿６に充填された化粧料５の使用方法等の説明表示を付与するようにしても差し支えない。
【００３８】
そして、上記保護シート１０において、延設部１０ｂに対する折り返し部１０ｃの折り返し角度θは、上記の例では３０°に設定したが、これに限らず、保護シート１０の材質や折り返し幅Ｈ［図２（ｂ）を参照］、隙間２１、２３の隙間幅Ｘ、Ｙ（図３を参照）等を考慮して、適宜の角度に設定することができる。本発明においては、通常、１〜４５°の範囲内に設定することが好適である。すなわち、折り返し角度θが小さすぎると、隙間２１、２３内において、凸条２２との係合が不充分になるおそれがあり、逆に、折り返し角度θが大きすぎると、保護シート１０を隙間２３に差し込みにくくなり、好ましくない。
【００３９】
さらに、上記保護シート１０において、折り返し部１０ｃの折り返し幅Ｈ［図２（ｂ）を参照］は、中皿収容用凹部３の底面から凸条２２の下面までの高さ、すなわち隙間２１の高さＪ（図３を参照）を１とすると、０．６〜１に設定することが好適である。すなわち、折り返し幅Ｈが、隙間２１の高さＪに対し小さすぎると、折り返し部１０ｃが隙間２１内で上下に動いて保護シート１０ががたつくおそれがある。また、折り返し幅Ｈが、隙間２１の高さＪよりも大きくなると、保護シート１０を差し込む際、隙間２１内において折り返し部１０ｃの収まりが悪く、凸条２２による抜け止めが不充分になるおそれがある。
【００４０】
また、本発明において、中皿収容用凹部３の、切欠き端面２０と中皿６の側壁外周面６ａとの間に形成される隙間２１の隙間幅Ｘは、この部分に、上記保護シート１０の延設部１０ｂと折り返し部１０ｃとを差し込んで折り返し部１０ｃを上記切欠き端面２０側に当接させることができる程度の広さとなるよう、保護シート１０の厚みを基準とし、これに折り返し部１０ｃの折り返し幅Ｈや折り返し角度θを考慮して設定される。例えば、保護シート１０の厚みをＴとすると、上記隙間幅Ｘは、２．５Ｔ〜５Ｔに設定することが、保護シート１０を効果的に係合保持させる上で、好適である。すなわち、隙間幅Ｘが上記の範囲よりも小さいと、保護シート１０の延設部１０ｂに対する折り返し部１０ｃの開き角度が狭くなって凸条２２に対する係合安定性が損なわれるおそれがあり、逆に、隙間幅Ｘが大きいと、保護シート１０の保護面部１０ａを側方に開く際に、折り返し部１０ｃが隙間２１内で大きく開いて隙間２３を通って抜けてしまうおそれがあるからである。
【００４１】
さらに、本発明において、中皿収容用凹部３の上縁部に設けられた凸条２２と、中皿６の側壁外周面６ａとの隙間２３の隙間幅Ｙは、この部分に、上記保護シート１０の延設部１０ｂと折り返し部１０ｃとを差し込むことができる程度の広さとなるよう、保護シート１０の厚みＴを基準として設定される。すなわち、上記隙間幅Ｙは、２．０１Ｔ〜２．３Ｔに設定することが、保護シート１０をスムーズに差し込んで係合保持させる上で、好適である。隙間幅Ｙが上記の範囲よりも小さいと、保護シート１０の延設部１０ｂと折り返し部１０ｃとを、上記隙間２３に差し込みにくくなるおそれがあり、逆に、隙間幅Ｙが大きいと、隙間２１との段差が小さくなり、その段差と折り返し部１０ｃとの係合によって保護シート１０の抜け止めを行う効果が小さくなるおそれがある。
【００４２】
なお、本発明において、上記凸条２２は、上記の例のように、中皿収容用凹部３の上縁部に沿って、１本の連続的な凸条として設ける必要はなく、複数の凸部が所定間隔で列状に並ぶような、断続的な凸条であっても差し支えない。その突出した部分の下面が、保護シート１０の折り返し部１０ｃの抜け止めとなっていればよいからである。
【００４３】
また、上記の例では、容器本体１の中皿収容用凹部３の平面視形状は横長の長方形であり［図２（ａ）を参照］、保護シート１０の保護面部１０ａを向かって左側に開く構造にしたが、保護面部１０ａを開く方向は、手前側であっても右側であってもよい。鏡８を設けない場合は、奥側に開くようにしてもよい。その場合は、保護面部１０ａの開く方向に応じた所定の位置に、保護シート１０の延設部１０ｂと折り返し部１０ｃを差し込む隙間２１、２３を形成すればよい。
【００４４】
さらに、容器本体１の中皿収容用凹部３の平面視形状は、必ずしも正方形や長方形のような矩形である必要はなく、多角形や略円形、略楕円形であってもよい。ただし、その内壁面のうち一個所は、保護シート１０の延設部１０ｂと折り返し部１０ｃを差し込むために、上から見て直線になっていることが望ましい。延設部１０ｂと折り返し部１０ｃを差し込む部分が上からみて曲線になっていると、保護面部１０ａを開閉する動作がスムーズに行われないおそれがあるからである。
【００４５】
ちなみに、本発明を、中皿収容用凹部３の平面視形状が略円形で、容器本体１の輪郭形状が円形に設定されたコンパクト容器に適用した例を、図５に示す（中皿６は省略）。この例では、平面視形状が略円形の中皿収容用凹部３において、その内壁面のうち向かって左側の一部が上からみて直線になるよう、その部分の壁面が垂直面になっている。そして、この垂直面に、上記の例と同様、中皿６の側壁外周面６ａ（図３参照）との間に隙間２１をつくる切欠き部が設けられており、その切欠き端面２０の上縁部に、水平方向に延びる凸条２２が設けられている。この凸条２２と、中皿６の側壁外周面６ａとの間に、上記隙間２１よりも隙間幅の狭い隙間２３が形成されるようになっている。そして、図示のような形状の保護シート１０を用いることによって、上記の例と同様の効果を得ることができる。
【００４６】
また、上記の例では、容器本体１の中皿収容用凹部３内に収容する中皿６を、粘着剤層４０によって固定した（図４参照）が、粘着剤層４０によらず、中皿収容用凹部３側に係合部を設け、中皿６側に被係合部を設けて、両者の係合によって中皿６を固定するようにしてもよい。上記係合部、被係合部は、保護シート１０を差し込む部分以外の、中皿収容用凹部３の内壁面と、中皿６の側壁外周面６ａのそれぞれに設けられる。
【００４７】
さらに、上記の例では、保護シート１０の折り返し部１０ｃを入り込ませるための隙間２１となる切欠き部を、容器本体１の中皿収容用凹部３側に設けたが、図６に示すように、この切欠き部を、中皿６の側壁外周面６ａ側に設けるようにしてもよい。そして、上記切欠き部の開口に入り込むように、中皿収容用凹部３の内壁面の上縁部に、上記の例と同様、水平方向に延びる凸条２２を設ける。これによって、上記の例と同様、中皿収容用凹部３と中皿６との間に、保護シート１０の折り返し部１０ｃが入り込む隙間２１と、差し込み口となる隙間２３とを得ることができる。この構成によっても、上記の例と同様、中皿収容用凹部３と中皿６との間に保護シート１０を簡単に差し込んで係止することができ、上記の例と同様の効果を得ることができる。
【００４８】
また、保護シート１０を差し込むための隙間２１、２３を形成する場合に、中皿６の側壁外周面６ａの片側に切欠き部を設けるのではなく、中皿６全体の輪郭形状を、中皿収容用凹部３の開口形状に対し、隙間２３となる所定幅の隙間があくようやや小さい形状にして、中皿収容用凹部３の内壁面と中皿６の側壁外周面６ａとの間に隙間２３を形成することができる。そして、上記隙間２３の下側の、中皿収容用凹部３の内壁面に、隙間２１となる切欠き部を形成することにより、上記の例と同様の、段差のある隙間２１、２３を得ることができる。
【００４９】
あるいは、中皿６全体の輪郭形状を、中皿収容用凹部３の開口形状に対し、隙間２１となる所定幅の隙間があくよう小さい形状にして、中皿収容用凹部３の内壁面と中皿６の側壁外周面６ａとの間に隙間２１を形成することができる。そして、上記隙間２１の上側の、中皿収容用凹部３の内壁面に、隙間２１の隙間幅を狭めるための凸条２２を設けて隙間２３とすることにより、前記の例と同様の、段差のある隙間２１、２３を得ることができる。
【００５０】
そして、上記の例では、図１に示すように、容器本体１の奥側に中皿収容用凹部３が設けられ、手前側に化粧用具収容用凹部４が設けられているが、両者の配置は、これに限定するものではなく、両者が左右に並んでいてもよい。もちろん、化粧用具収容用凹部４はなくてもよい。そして、中皿収容用凹部３には、直接もしくは複数の中皿を介して、複数の化粧料が並べて収容されていてもよい。
【００５１】
さらに、上記の例では、容器本体１と蓋体２とが、ヒンジ連結された構成になっているが、蓋体２は、容器本体１に対してスライド式で開閉するものであってもよいし、ねじ係合によって開閉するものであってもよい。
【産業上の利用可能性】
【００５２】
本発明は、簡単な構成で抜け止めされた保護シートを備え、使い勝手のよい保護シート付コンパクト容器に利用することができる。
【符号の説明】
【００５３】
１  容器本体
３  中皿収容用凹部
６  中皿
６ａ  側壁外周面
１０  保護シート
１０ａ  保護面部
１０ｂ  延設部
１０ｃ  折り返し部
２０  切欠き端面
２１、２３  隙間
２２  凸条
【図１】
2017086568.tif 000003
【図２】
2017086568.tif 000004
【図３】
2017086568.tif 000005
【図４】
2017086568.tif 000006
【図５】
2017086568.tif 000007
【図６】
2017086568.tif 000008
【図７】
2017086568.tif 000009
【図８】
2017086568.tif 000010
【図９】
2017086568.tif 000011